(57)【要約】【課題】  仮想リンクの帯域設定値を変更する際に、先に通過する装置の帯域設定値よりも小さな帯域設定値に設定した装置を通過させないように帯域設定値を設定する。【解決手段】  本発明は、帯域設定値を増加させる場合は、トランスポートネットワークのトランスポートノードが、仮想リンクに関連付けられたトランスポートパスの帯域設定値を増加させ、仮想化ノードネットワークの仮想化ノードが、その後に、仮想リンク及び該仮想リンクのトラフィック送信側及び受信側となる仮想ポートの帯域設定値を増加させる処理を行う。また、帯域設定値を減少させる場合は、仮想化ノードが、仮想リンク及び該仮想リンクのトラフィック送信側及び受信側となる仮想ポートの帯域設定値を減少させ、トランスポートノードが、仮想ポート制御手段の処理の後に、仮想リンクに関連付けられたトランスポートパスの帯域設定値を減少させる。【選択図】  図３
2015159399.tif 000002
【特許請求の範囲】
【請求項１】
ノードの仮想化を実施可能な装置である仮想化ノードで構成されるネットワークである仮想化ノードネットワークと、
前記仮想化ノード同士を接続するトランスポートノードで構成されるトランスポートネットワークと、
前記仮想化ノードネットワークと前記トランスポートネットワークの装置を管理する管理サーバと、
を有し、前記仮想化ノードネットワークの仮想リンクの帯域設定量を増加させる制御を行う仮想化ネットワークのリソース制御システムであって、
前記トランスポートネットワークの前記トランスポートノードは、
前記仮想リンクに関連付けられたトランスポートパスの帯域設定値を増加させる処理を行うトランスポートパス帯域制御手段を有し、
前記仮想化ノードネットワークの前記仮想化ノードは、
前記トランスポートパス帯域制御手段の処理の後に、前記仮想リンク及び該仮想リンクのトラフィック送信側及び受信側となる仮想ポートの帯域設定値を増加させる処理を行う仮想ポート制御手段を有する
ことを特徴とする仮想化ネットワークのリソース制御システム。
【請求項２】
ノードの仮想化を実施可能な装置である仮想化ノードで構成されるネットワークである仮想化ノードネットワークと、
前記仮想化ノード同士を接続するトランスポートノードで構成されるトランスポートネットワークと、
前記仮想化ノードネットワークと前記トランスポートネットワークの装置を管理する管理サーバと、
を有し、前記仮想化ネットワークの仮想リンクの帯域設定量を減少させる制御を行う仮想化ネットワークのリソース制御システムであって、
前記仮想化ノードネットワークの前記仮想化ノードは、
前記仮想リンク及び該仮想リンクのトラフィック送信側及び受信側となる仮想ポートの帯域設定値を減少させる処理を行う仮想ポート制御手段と、
前記トランスポートネットワークの前記トランスポートノードは、
前記仮想ポート制御手段の処理の後に、前記仮想リンクに関連付けられたトランスポートパスの帯域設定値を減少させる処理を行うトランスポートパス制御手段と、
を有することを特徴とする仮想化ネットワークのリソース制御システム。
【請求項３】
ノードの仮想化を実施可能な装置である仮想化ノードで構成されるネットワークである仮想化ノードネットワークと、
前記仮想化ノード同士を接続するトランスポートノードで構成されるトランスポートネットワークと、
前記仮想化ノードネットワークと前記トランスポートネットワークの装置を管理する管理サーバと、
を有し、前記仮想化ネットワークの仮想リンクの帯域設定量を増加させる制御を行う仮想化ネットワークのリソース制御システムであって、
前記仮想リンクのトラフィック受信側となる仮想ポートを持つ仮想化ノードは、
前記仮想リンク及び該仮想リンクのトラフィック受信側となる仮想ポートの受信帯域設定を増加させる処理を行う第１の仮想ポート制御手段を有し、
前記トランスポートネットワークの前記トランスポートノードは、
前記第１の仮想ポート制御手段の処理の後に、前記仮想リンクに関連付けられたトランスポートパスの帯域設定値を増加させる処理を行うトランスポートパス制御手段を有し、
前記仮想リンクのトラフィック送信側となる仮想ポートを持つ仮想化ノードは、
前記トランスポートパス制御手段の処理の後に、前記仮想リンク及び該仮想リンクのトラフィック送信側となる仮想ポートの帯域設定値を増加させる処理を行う第２の仮想ポート制御手段を有する
ことを特徴とする仮想化ネットワークのリソース制御システム。
【請求項４】
ノードの仮想化を実施可能な装置である仮想化ノードで構成されるネットワークである仮想化ノードネットワークと、
前記仮想化ノード同士を接続するトランスポートノードで構成されるトランスポートネットワークと、
前記仮想化ノードネットワークと前記トランスポートネットワークの装置を管理する管理サーバと、
を有し、前記仮想化ネットワークの仮想リンクの帯域設定量を減少させる制御を行う仮想化ネットワークのリソース制御システムであって、
前記仮想リンクのトラフィック送信側となる仮想ポートを有する仮想化ノードは、
前記仮想リンク及び前記仮想リンクのトラフィック送信側となる仮想ポートの帯域設定値を減少させる処理を行う第１の仮想ポート制御手段を有し、
前記トランスポートネットワークの前記トランスポートノードは、
前記第１の仮想ポート制御手段の処理の後に、前記仮想リンクに関連付けられたトランスポートパスの帯域設定値を減少させる処理を行うトランスポートパス制御手段を有し、
前記仮想リンクのトラフィック受信側となる仮想ポートを有する仮想化ノードは、
前記トランスポートパス制御手段の処理の後に、前記仮想リンク及び該仮想リンクのトラフィック受信側となる仮想ポートの帯域設定値を減少させる処理を行う第２の仮想ポート制御手段を有する
ことを特徴とする仮想化ネットワークのリソース制御システム。
【請求項５】
ノードの仮想化を実施可能な装置である仮想化ノードで構成されるネットワークである仮想化ノードネットワークと、
前記仮想化ノード同士を接続するトランスポートノードで構成されるトランスポートネットワークと、
前記仮想化ノードネットワークと前記トランスポートネットワークの装置を管理する管理サーバと、
を有するシステムにおいて、前記仮想化ネットワークの仮想リンクの帯域設定量を増加させる制御を行う仮想化ネットワークのリソース制御方法であって、
前記トランスポートネットワークの前記トランスポートノードが、前記仮想リンクに関連付けられたトランスポートパスの帯域設定値を増加させる処理を行うトランスポートパス帯域制御ステップと、
前記仮想化ノードネットワークの前記仮想化ノードが、前記仮想リンク及び該仮想リンクのトラフィック送信側及び受信側となる仮想ポートの帯域設定値を増加させる処理を行う仮想ポート制御ステップと、
を行うことを特徴とする仮想化ネットワークのリソース制御方法。
【請求項６】
ノードの仮想化を実施可能な装置である仮想化ノードで構成されるネットワークである仮想化ノードネットワークと、
前記仮想化ノード同士を接続するトランスポートノードで構成されるトランスポートネットワークと、
前記仮想化ノードネットワークと前記トランスポートネットワークの装置を管理する管理サーバと、
を有するシステムにおいて、前記仮想化ネットワークの仮想リンクの帯域設定量を減少させる制御を行う仮想化ネットワークのリソース制御方法であって、
前記仮想化ノードネットワークの前記仮想化ノードが、前記仮想リンク及び該仮想リンクのトラフィック送信側及び受信側となる仮想ポートの帯域設定値を減少させる処理を行う仮想ポート制御ステップと、
前記トランスポートネットワークの前記トランスポートノードが、前記仮想リンクに関連付けられたトランスポートパスの帯域設定値を減少させる処理を行うトランスポートパス制御ステップと、
を行うことを特徴とする仮想化ネットワークのリソース制御方法。
【請求項７】
ノードの仮想化を実施可能な装置である仮想化ノードで構成されるネットワークである仮想化ノードネットワークと、
前記仮想化ノード同士を接続するトランスポートノードで構成されるトランスポートネットワークと、
前記仮想化ノードネットワークと前記トランスポートネットワークの装置を管理する管理サーバと、
を有するシステムにおいて、前記仮想化ネットワークの仮想リンクの帯域設定量を増加させる制御を行う仮想化ネットワークのリソース制御方法であって、
前記仮想リンクのトラフィック受信側となる仮想ポートを持つ仮想化ノードが、該仮想リンク及び該仮想リンクのトラフィック受信側となる仮想ポートの受信帯域設定を増加させる処理を行う第１の仮想ポート制御ステップと、
前記トランスポートネットワークの前記トランスポートノードが、前記仮想リンクに関連付けられたトランスポートパスの帯域設定値を増加させる処理を行うトランスポートパス制御ステップと、
前記仮想リンクのトラフィック送信側となる仮想ポートを持つ仮想化ノードが、該仮想リンク及び該仮想リンクのトラフィック送信側となる仮想ポートの帯域設定値を増加させる処理を行う第２の仮想ポート制御ステップと、
を行うことを特徴とする仮想化ネットワークのリソース制御方法。
【請求項８】
ノードの仮想化を実施可能な装置である仮想化ノードで構成されるネットワークである仮想化ノードネットワークと、
前記仮想化ノード同士を接続するトランスポートノードで構成されるトランスポートネットワークと、
前記仮想化ノードネットワークと前記トランスポートネットワークの装置を管理する管理サーバと、
を有するシステムにおいて、前記仮想化ネットワークの仮想リンクの帯域設定量を減少させる制御を行う仮想化ネットワークのリソース制御方法であって、
前記仮想リンクのトラフィック送信側となる仮想ポートを有する仮想化ノードが、該仮想リンク及び該記仮想リンクのトラフィック送信側となる仮想ポートの帯域設定値を減少させる処理を行う第１の仮想ポート制御ステップと
前記トランスポートネットワークの前記トランスポートノードが、前記仮想リンクに関連付けられたトランスポートパスの帯域設定値を減少させる処理を行うトランスポートパス制御ステップと、
前記仮想リンクのトラフィック受信側となる仮想ポートを有する仮想化ノードが、該仮想リンク及び該仮想リンクのトラフィック受信側となる仮想ポートの帯域設定値を減少させる処理を行う第２の仮想ポート制御ステップと、
を行うことを特徴とする仮想化ネットワークのリソース制御方法。
【発明の詳細な説明】
【技術分野】
【０００１】
本発明は、仮想化ネットワークのリソース制御システム及び方法に係り、特に、仮想化ネットワークと仮想化ネットワークを収容する物理ネットワークの帯域設定において、仮想リンクの帯域設定値を変更するための仮想化ネットワークのリソース制御システム及び方法に関する。
【背景技術】
【０００２】
ノードの仮想化を実施可能な装置である仮想化ノードで構成されるネットワークである仮想化ノードネットワークと、仮想化ノード同士を接続するための装置であるトランスポートノードで構成されるネットワークであるトランスポートネットワークと、それらのネットワークの装置を管理する管理サーバを有するネットワークシステムにおいて、仮想リンクの帯域設定値を変更する技術がある（例えば、特許文献１参照）。
【０００３】
当該技術は、仮想化されたネットワークである１つの独立したスライスを構築する際に、SNC(Service Network Controller)が、TNC(Transport Network Controller)に対して、仮想的なリンクを生成すためのパラメタとトランスポートパスの生成を依頼し、TNCではトランスポートパスの帯域確保と空き帯域の管理を行い、SNCからの依頼に応じてトランスポートパス内にLS(Link Sliver)の生成を行うシステムである。
【先行技術文献】
【特許文献】
【０００４】
【特許文献１】特開２０１３−１７９４９４号公報
【発明の概要】
【発明が解決しようとする課題】
【０００５】
しかしながら、上記の特許文献１の技術では、仮想リンクを流れるパケットのうち、帯域設定値がある値に設定された装置を通過した後にそれよりも小さい帯域設定値が設定された装置を通過するものが発生しないことを保証できないために、仮想リンク上を流れるパケットにパケット損失が発生するという問題がある。
【０００６】
本発明は、上記の点に鑑みなされたもので、仮想リンクの帯域設定値を変更する際に、先に通過する装置の帯域設定値よりも小さな帯域設定値に設定した装置を通過させないように帯域設定値を設定することが可能な仮想化ネットワークのリソース制御システム及び方法を提供することを目的とする。
【課題を解決するための手段】
【０００７】
一態様によれば、ノードの仮想化を実施可能な装置である仮想化ノードで構成されるネットワークである仮想化ノードネットワークと、
前記仮想化ノード同士を接続するトランスポートノードで構成されるトランスポートネットワークと、
前記仮想化ノードネットワークと前記トランスポートネットワークの装置を管理する管理サーバと、
を有し、前記仮想化ネットワークの仮想リンクの帯域設定量を増加させる制御を行う仮想化ネットワークのリソース制御システムであって、
前記トランスポートネットワークの前記トランスポートノードは、
前記仮想リンクに関連付けられたトランスポートパスの帯域設定値を増加させる処理を行うトランスポートパス帯域制御手段を有し、
前記仮想化ノードネットワークの前記仮想化ノードは、
前記トランスポートパス帯域制御手段の処理の後に、前記仮想リンク及び該仮想リンクのトラフィック送信側及び受信側となる仮想ポートの帯域設定値を増加させる処理を行う仮想ポート制御手段を有する仮想化ネットワークのリソース制御システムが提供される。
【発明の効果】
【０００８】
一態様によれば、ネットワークシステムにおいて、仮想リンクの帯域設定値を変更する際に、先に通過する装置の帯域設定値よりも小さな帯域設定値に設定した装置を通過させないように帯域設定値を設定することにより、仮想リンク上を流れるパケットが損失しないことを保証することができる。
【図面の簡単な説明】
【０００９】
【図１】本発明の第１の実施の形態におけるシステム構成例。
【図２】本発明の第１の実施の形態におけるシステムの詳細構成例。
【図３】本発明の第１の実施の形態における帯域設定値の増加処理及び減少処理のシーケンスチャート。
【図４】本発明の第２の実施の形態における帯域設定値の増加処理及び減少処理のシーケンスチャート。
【発明を実施するための形態】
【００１０】
以下、図面と共に本発明の実施の形態を説明する。
【００１１】
図１は、本発明の第１の実施の形態におけるシステム構成例を示し、図２はその詳細構成例を示す。
【００１２】
図１に示すシステムは、仮想化ノードネットワークの装置とトランスポートネットワークの装置を管理する管理サーバ１００、複数のノードの仮想化を実施可能な装置である仮想化ノード２００、複数の仮想化ノードネットワークの装置同士を接続するためのトランスポートノード３００を有する。管理サーバ１００と仮想化ノード２００間、および複数のトランスポートノード間には、図２に示すように、転送装置４００が具備されている。
【００１３】
管理サーバ１００は、仮想化ノードネットワーク管理部１１０とトランスポートネットワーク管理部１２０を有し、仮想化ノードネットワーク管理部１１０は、仮想化ノード２００の仮想化ノード管理部２１０と通信し、仮想化ノード２００及び仮想化ノードネットワークを管理及び制御する。トランスポートネットワーク管理部１２０は、トランスポートノード３００のトランスポートノード管理部３１０と通信し、トランスポートノード３００、及び、トランスノードネットワークを管理及び制御する。
【００１４】
仮想化ノード２００は、演算装置と記憶装置を仮想化して構築されたノード装置であり、仮想化ノード管理部２１０と、仮想化ノード、仮想ポート、仮想リンク、及び、それらをつなぐネットワークを構築する機能を実装する仮想化機能実装部２２０を有する。仮想化ノード管理部２１０は、仮想化機能実装部２２０の管理、及び制御をする機能を有し、仮想化ポートと仮想リンクの設定変更を行う。仮想化機能実装部２２０は、通信データの信号を送受信する物理ポートを含む入出力装置を仮想化して構築されたポートを実装した仮想ポート実装部２２２と、物理リンクを含む通信線を仮想化して構築されたリンク装置を実装する仮想リンク実装部２２３を有し、仮想化ノード管理部２１０により容量の動的変更が行われる。
【００１５】
トランスポートノード３００は、トランスポートノード管理部３１０とトランスポート機能実装部３２０を有し、トランスポートノード管理部３１０は、トランスポート機能実装部３２０の管理及び制御する。トランスポート機能実装部３２０は、トランスポートネットワークのエッジとなるトランスポートノード３００間を結ぶ論理的な通信路（トランスポートパス）が実装されたトランスポートパス実装部３２１を有する。
【００１６】
転送装置４００は、通信データの転送を行う装置であって、例えば、サーバ装置、イーサネット（登録商標）・スイッチ、ルータ装置、波長分割多重伝送装置(OADM)、及び、光とクロスコネクト（OXC）、もしくは、それらを内包する転送装置、仮想化ノード、及びトランスポートノードを具備する演算装置、もしくは交換器によって実装される。図２の例では、転送装置４００Ａを管理サーバ１００と仮想化ノード２００Ａ、２００Ｂ間に配置されるものとし、転送装置４００Ｂを管理サーバ１００とトランスポートノード３００Ａ、３００Ｂの間に配置されるものとする。
【００１７】
図２では、仮想化ノード２００及びトランスポートノード３００が２つあるが、仮想化ノード２００Ａを送信側とし、仮想化ノード２００Ｂを受信側とする。トランスポートノード３００についても同様に、トランスポートノード３００Ａを送信側、トランスポート３００Ｂを受信側とする。
【００１８】
[第１の実施の形態]
本実施の形態のシステム構成は上記の図１、図２と同様である。
【００１９】
本実施の形態では、図１、図２に示すネットワークシステムにおいて、仮想リンクの帯域設定量を増加させる制御及び減少させる制御を行う場合の処理について説明する。
【００２０】
仮想リンクの帯域設定量を増加させる場合には、トランスポートネットワークのトランスポートノード３００において、仮想リンクに関連付けられたトランスポートパスの帯域設定値を増加させる処理を行い、次いで、仮想化ノードネットワークの仮想化ノード２００において、仮想リンク及び仮想リンクのトラフィック送信側及び受信側となる仮想ポートの帯域設定値を増加させる処理を行う。
【００２１】
また、仮想リンクの帯域設定量を減少させる場合には、仮想化ノード２００において、仮想リンク及び仮想リンクのトラフィック送信側及び受信側となる仮想ポートの帯域設定値を減少させる処理を行い、次で、トランスポートノード３００において、仮想リンクに関連付けられたトランスポートパスの帯域設定値を減少させる処理を行う。
【００２２】
図３は、本発明の第１の実施の形態における帯域設定値の増加処理及び減少処理のシーケンスである。同図（ａ）は、帯域設定値の増加処理を示し、同図（ｂ）は、帯域設定値の減少処理を示す。
【００２３】
まず、同図（ａ）の帯域設定値の増加処理について説明する。
【００２４】
ステップ１０１）管理サーバ１００の仮想化ノードネットワーク管理部１１０は、トランスポートネットワーク管理部１２０に対して、トランスポートパス帯域設定値増加要求を送信する。
【００２５】
ステップ１０２）トランスポートネットワーク管理部１２０は、転送装置４００を介して、トランスポートノード３００Ａ，３００Ｂのそれぞれのトランスポートノード管理部３１０に対して、トランスポートパス帯域設定値増加処理を行う。
【００２６】
ステップ１０３）次に、管理サーバ１００の仮想化ノードネットワーク管理部１１０は、転送装置４００を介して、仮想化ノード２００Ａ，２００Ｂのそれぞれの仮想化ノード管理部２１０に対して、仮想リンク及び仮想ポートの帯域設定値増加を行う。
【００２７】
次に、同図(ｂ)の帯域設定値の減少処理について説明する。
【００２８】
ステップ２０１）  管理サーバ１００の仮想化ノードネットワーク管理部１１０は、転送装置４００を介して、仮想化ノード２００Ａ，２００Ｂのそれぞれの仮想化ノード管理部２１０に、仮想リンク及び仮想ポートの帯域設定値減少処理を行う。
【００２９】
ステップ２０２）仮想化ノードネットワーク管理部１１０は、トランスポートネットワーク管理部１２０にトランスポートパス帯域値設定値減少要求を行う。
【００３０】
ステップ２０３）トランスポートネットワーク管理部１２０は、転送装置４００を介して、トランスポートノード３００Ａ，３００Ｂのそれぞれのトランスポートノード管理部３１０に、トランスポートパス帯域設定値減少処理を行う。
【００３１】
上記のように、帯域値設定変更の中間状態でパケットロスを生じさせないために、仮想リンク用量を減少させる場合には、仮想ポートと仮想リンクの容量減少処理を行ってからトランスポートパスの容量減少処理を行い、増加する場合には、トランスポートパスの容量増加処理を行ってから仮想ポートと仮想リンクの容量増加処理を行う。
【００３２】
［第２の実施の形態］
本実施の形態のシステム構成は上記の図１、図２と同様である。
【００３３】
本実施の形態では、図１、図２に示すネットワークシステムにおいて帯域設定値変更を行う仮想リンクに関して、受信側の仮想化ノード２００Ｂよりトランスポートノード３００Ｂの帯域設定値が大きくなるタイミングが生じず、受信側の仮想化ノード２００Ｂへ通信データがバースト的に出力された場合もパケットが損失しないようにする場合について説明する。
【００３４】
本実施の形態では、仮想リンクの帯域設定量を増加させる場合には、仮想リンクのトラフィック受信側となる仮想ポートを持つ仮想化ノード２００Ｂにおいて、仮想リンク及び仮想リンクのトラフィック受信側となる仮想ポートの受信帯域設定値を増加する処理を行い、次いで、トランスポートノード３００Ａ，３００Ｂにおいて、仮想リンクに関連付けられたトランスポートパスの帯域設定値を増加する処理を行い、次に、仮想リンクのトラフィックの送信側となる仮想ノード２００Ａの仮想ポートの帯域設定値を増加する処理を行う。
【００３５】
仮想リンクの帯域設定量を減少させる場合には、仮想リンクのトラフィックの送信側となる仮想ポートを持つ仮想化ノード２００Ａにおいて、仮想リンク及び仮想リンクのトラフィック送信側となる仮想ポートの帯域設定値を減少する処理を行い、次に、トランスポートノード３００Ｂにおいて、仮想リンクに関連付けられたトランスポートパスの帯域設定値を減少させる処理を行い、次いで、仮想リンクのトラフィック受信側となる仮想ポートを持つ仮想化ノード２００Ｂにおいて、仮想リンク及び仮想リンクのトラフィック受信側となる仮想ポートの帯域設定値を減少させる処理を行う。
【００３６】
図４は、本発明の第２の実施の形態における帯域設定値の増加処理及び減少処理のシーケンスである。同図（ａ）は、帯域設定値の増加処理を示し、同図（ｂ）は、帯域設定値の減少処理を示す。
【００３７】
まず、同図（ａ）の帯域設定値の増加処理について説明する。
【００３８】
ステップ３０１）管理サーバ１００の仮想化ノードネットワーク管理部１１０は、転送装置４００を介して、仮想化ノード（受信側）２００Ｂの仮想化ノード管理部２１０に、仮想リンク及び仮想ポートの帯域設定値増加処理を行う。
【００３９】
ステップ３０２）管理サーバ１００の仮想化ノードネットワーク管理部１１０は、トランスポートネットワーク管理部１２０のトランスポートパス帯域設定値増加要求を行う。
【００４０】
ステップ３０３）管理サーバ１００のトランスポートネットワーク管理部１２０は、転送装置４００Ｂを介して、トランスポートノード３００Ａ，３００Ｂに、トランスポートパス帯域設定値増加処理を行う。
【００４１】
ステップ３０４）仮想化ノードネットワーク管理部１１０は、転送装置４００Ａを介して、送信側の仮想化ノード２００Ａの仮想化ノード管理部２１０に仮想リンク及び仮想ポートの帯域設定値増加処理を行う。
【００４２】
次に、同図（ｂ）の帯域設定値の減少処理について説明する。
【００４３】
ステップ４０１）管理サーバ１００の仮想化ノードネットワーク管理部１１０は、転送地４００Ａを介して、送信側の仮想化ノード２００Ａの仮想化ノード管理部２１０に、仮想リンク及び仮想ポートの帯域設定値増加処理を行う。
【００４４】
ステップ４０２）仮想化ノードネットワーク管理部１１０は、トランスポートネットワーク管理部１２０に対して、トランスポートパス帯域設定値増加要求を行う。
【００４５】
ステップ４０３）トランスポートネットワーク管理部１２０は、転送装置４００Ｂを介してトランスポートノード３００Ａ，３００Ｂのトランスポートノード管理部３１０にトランスポートパス帯域設定値減少処理を行う。
【００４６】
ステップ４０４）管理サーバ１００の仮想化ノードネットワーク管理部１１０は、転送装置４００Ａを介して、受信側の仮想化ノード２００Ｂの仮想化ノード管理部２１０に仮想リンク及び仮想ポートの帯域設定値減少処理を行う。
【００４７】
なお、上記の管理サーバ１００、仮想化ノード２００、トランスポートノード３００の各構成要素の動作をプログラムとして構築し、管理サーバ、仮想化ノード、トランスポートとして利用される物理的ノードにインストールして実行させる、または、ネットワークを介して流通させることが可能である。
【００４８】
本発明は、上記の実施の形態に限定されることなく、特許請求の範囲内において、種々変更・応用可能である。
【符号の説明】
【００４９】
１００  管理サーバ
１１０  仮想化ノードネットワーク管理部
１２０  トランスポートネットワーク管理部
２００  仮想化ノード
２１０  仮想化ノード管理部
２２０  仮想化機能実装部
２２１  仮想化ノード実装部
２２２  仮想ポート実装部
２２３  仮想リンク実装部
３００  トランスポートノード
３１０  トランスポートノード管理部
３２０  トランスポート機能実装部
３２１  トランスポートパス実装部
【図１】
2015159399.tif 000003
【図２】
2015159399.tif 000004
【図３】
2015159399.tif 000005
【図４】
2015159399.tif 000006